(57)【要約】 【課題】  商品の種類毎に適正価格での販売を可能にするとともに、省スペースと人件費の抑制を図ることが出来る粒状物払出装置を提供する。【解決手段】  粒状商品ｇが収容される商品収容部２Ａと、商品収容部２Ａの下方に配置された払出機構１０とを備え、払出機構１０が、外周面に開口された凹所１１Ｄ，１１Ｅを有しシャフト１１Ｃを中心に回転自在に支持された回転容器１１と、この回転容器１１を軸回りに回転させるための操作レバー１２Ｇと、この操作レバー１２Ｇと回転容器１１との間に介装されて操作レバー１２Ｇの操作によって回転容器１１を凹所１１Ｄ，１１Ｅの一方が上向きになり他方が下向きになる位置とこの一方の凹所１１Ｄまたは１１Ｅが下向きになり他方が上向きになる位置との間で回動させる第２歯車１２Ｃおよび駆動歯車１２Ｆを有している。【選択図】      図２
2005173988.tif 000002
【特許請求の範囲】
【請求項１】
粒状物が収容される粒状物収容ケーシングと、
この粒状物収容ケーシングの下方に配置されて粒状物収納部内から所定量の粒状物を払い出す払出機構とを備え、
前記払出機構が、外周面に開口された粒状物収容用凹所が形成されているとともに水平軸を中心に回転自在に支持された回転容器部材と、この回転容器部材を軸回りに回転させるための回転操作部材と、この回転操作部材と回転容器部材との間に介装されて回転操作部材の操作によって回転容器部材を粒状物収容用凹所が粒状物収納部内から粒状物を受け取る位置に位置される位置とこの受け取った粒状物が粒状物収容用凹所内から払い出される位置に位置される位置との間で回動させるギヤ機構を有していることを特徴とする粒状物払出装置。
【請求項２】
前記粒状物収容ケーシングの底部にこの粒状物収容ケーシング内に収容されている粒状物を下方に流し出すホッパ部材が設けられている請求項１に記載の粒状物払出装置。
【請求項３】
前記粒状物収容ケーシング内のホッパ部材が設けられている位置に、粒状物収容ケーシング内からの粒状物の流出を抑制する流出抑制部材が取り付けられている請求項２に記載の粒状物払出装置。
【請求項４】
前記粒状物収容用凹所が、回転容器部材の円周方向に沿って複数箇所に形成されている請求項１に記載の粒状物払出装置。
【請求項５】
前記粒状物収容用凹所が、回転容器部材の径の両端の二箇所に形成されている請求項４に記載の粒状物払出装置。
【請求項６】
前記回転容器部材が、粒状物収容用凹所の容積を増減させる容積調節部材を備えている請求項１に記載の粒状物払出装置。
【請求項７】
前記容積調節部材が、粒状物収容用凹所内の一方の壁面を形成するとともに粒状物収容用凹所にスライド自在に取り付けられているスライド部材である請求項６に記載の粒状物払出装置。
【請求項８】
前記スライド部材が、回転容器部材の軸方向にスライド自在に取り付けられているとともに、このスライド部材を回転容器部材の軸方向の任意の位置に固定する固定部材を備えている請求項７に記載の粒状物払出装置。
【請求項９】
前記回転操作部材が、基端部を回動自在に軸支されたレバー部材である請求項１に記載の粒状物払出装置。
【請求項１０】
前記レバー部材の基端部とこのレバー部材を支持する機枠部分との間に、レバー部材をその操作前の位置に復帰させる方向に付勢する付勢部材が介装されている請求項９に記載の粒状物払出装置。
【請求項１１】
前記ギヤ機構が、回転操作部材の操作によって回転される第１ギヤ部材と、この第１ギヤ部材に歯合されるとともに回転容器部材に同軸状に取り付けられた第２ギヤ部材とを備えている請求項１に記載の粒状物払出装置。
【請求項１２】
前記第２ギヤ部材が、回転操作部材の粒状物払い出し方向への操作に伴って回転されるときには第２ギヤ部材を回転容器部材に一体回転するように連結し、回転操作部材の操作前の位置への復帰に伴って回転されるときには第２ギヤ部材を回転容器部材に対して回転自在にするワンウェイクラッチ部材を介して回転容器部材に取り付けられている請求項１１に記載の粒状物払出装置。
【請求項１３】
前記ギヤ機構が、第２ギヤ部材が回転操作部材の操作前の位置への復帰に伴って回転されるときに、回転容器部材を係止して第２ギヤ部材と同一方向への回転を阻止する係止部材をさらに備えている請求項１２に記載の粒状物払出装置。
【請求項１４】
前記係止部材が、回転容器部材に同軸状に固定された第３ギヤ部材とこの第３ギヤ部材に歯合されるラチェット部材を備えている請求項１３に記載の粒状物払出装置。
【請求項１５】
前記ギヤ機構が、回転容器部材が粒状物収容用凹所を粒状物収納部内から粒状物を受け取る位置に位置させる位置に位置されているときと、粒状物収容用凹所を粒状物の払い出し位置に位置させる位置に位置されているときに回転容器部材の一部に係合して、回転容器部材をそれぞれの位置に位置決めする位置決め部材を備えている請求項１に記載の粒状物払出装置。
【請求項１６】
前記位置決め部材が、回転容器部材の近傍に回転容器部材の一部に係合する位置と回転容器部材の一部との係合位置から離脱する位置との間で揺動自在に設けられたストッパ部材と、このストッパ部材を回転容器部材の一部との係合位置から離脱する方向に揺動させる作動部材とを備えている請求項１５に記載の粒状物払出装置。
【請求項１７】
前記作動部材が、粒状物の払い出しを許容する信号の入力によってストッパ部材を回転容器部材の一部との係合位置から離脱させる方向に作動される請求項１６に記載の粒状物払出装置。
【請求項１８】
前記作動部材がソレノイド部材である請求項１６に記載の粒状物払出装置。
【請求項１９】
前記ストッパ部材が、回転容器部材の一部との係合位置から離脱した位置にあるときに、回転容器部材の回転に伴ってストッパ部材に係合してこのストッパ部材を回転容器部材の一部と係合する位置の方向に付勢する回動付勢部材を備えている請求項１６に記載の粒状物払出装置。
【請求項２０】
前記ストッパ部材と係合する回転容器部材の一部が、回転容器部材から径方向外方に突出する突起部である請求項１５に記載の粒状物払出装置。
【請求項２１】
前記突起部が、回転容器部材の径の両端に一対形成されている請求項２０に記載の粒状物払出装置。
【発明の詳細な説明】
【技術分野】
【０００１】
この発明は、一定量の粒状物の払い出しを行うための装置に関する。
【背景技術】
【０００２】
一般に、キャンディやチョコレート，豆菓子等のお菓子や様々な色や形のビー玉等の販売形態としては、お菓子等の粒状物をその種類ごとに収容した複数の陳列ケースを店頭に並べておいて、そのお菓子等の購買者が、自ら、お菓子等が入れられているケースの蓋を開けて、そのケースから店頭に用意されている容器や袋に所望のお菓子等をスプーン等で任意の量だけ取り分けてゆくといったものがある。
【０００３】
このようなお菓子等の粒状物の販売形態においては、各ケースから任意に取り分けられたお菓子等は、最後にレジにおいて、例えば、重さを量って全ての種類のお菓子について一律に１００グラム何円とか、所定の大きさの袋について一袋何円とかの基準で代金が計算されて、その支払いが行われるのが一般的である。
【０００４】
このような販売形態の場合、原価の異なる様々な種類のお菓子等の代金を一律に計算するので、その都度、利益率が異なったり、また、商品の管理や計算に労力を要し、販売効率が悪く、人件費の負担も大きいという問題があり、さらに、大きな販売スペースを要するという問題もある。
【発明の開示】
【発明が解決しようとする課題】
【０００５】
この発明は、上記のようなお菓子等の粒状物の販売を行う際の従来の問題点を解決するためになされたものである。
【０００６】
すなわち、この発明は、商品の種類毎に適正価格での販売を可能にするとともに、省スペースと人件費の抑制を図ることが出来る粒状物払出装置を提供することを目的としている。
【課題を解決するための手段】
【０００７】
この発明（請求項１に記載の発明）による粒状物払出装置は、上記目的を達成するために、粒状物が収容される粒状物収容ケーシングと、この粒状物収容ケーシングの下方に配置されて粒状物収納部内から所定量の粒状物を払い出す払出機構とを備え、前記払出機構が、外周面に開口された粒状物収容用凹所が形成されているとともに水平軸を中心に回転自在に支持された回転容器部材と、この回転容器部材を軸回りに回転させるための回転操作部材と、この回転操作部材と回転容器部材との間に介装されて回転操作部材の操作によって回転容器部材を粒状物収容用凹所が粒状物収納部内から粒状物を受け取る位置に位置される位置とこの受け取った粒状物が粒状物収容用凹所内から払い出される位置に位置される位置との間で回動させるギヤ機構を有していることを特徴としている。
【０００８】
上記粒状物払出装置は、粒状物収容ケーシング内に販売商品であるキャンディやチョコレート，豆菓子等のお菓子や様々な色や形のビー玉等の粒状物が収容されて、店頭等に陳列される。
【０００９】
そして、回転容器部材が、その粒状物収容用凹所を粒状物収容ケーシング内から粒状物を受け取る位置に位置させる状態に位置決めされると、粒状物収容ケーシング内からその中に収容されている粒状物が、回転容器部材の粒状物収容用凹所内にその開口部から流れ込んで、予め設定されている粒状物収容用凹所の容積に対応する量だけ粒状物収容用凹所内に充填される。
【００１０】
この後、回転操作部材が操作されて、ギヤ機構を介して回転容器部材が回転されて、粒状物収容用凹所が粒状物収納部内から粒状物を受け取る位置から粒状物収容用凹所内の粒状物を払い出す払い出し位置に移動されると、粒状物収容用凹所内に所定の容量だけ充填されていた粒状物が粒状物収容用凹所の開口部から外部に払い出される。
【発明の効果】
【００１１】
以上のように、この発明による粒状物払出装置によれば、回転操作部材の操作だけで、粒状物収納部内に収容されている粒状物が予め設定されている量だけ払い出されてくるので、回転容器部材の粒状物収容用凹所の容積を粒状物の種類毎に調節しておくことにより、粒状物を適正価格で販売することが出来るようになるとともに、例えば粒状物の無人販売等が可能になって、省スペースと人件費の抑制を図ることが出来るようになる。
【発明を実施するための最良の形態】
【００１２】
この発明は、ケーシング内に粒状商品を収容する商品収容部とこの商品収容部内から粒状商品が払い出される商品払出部が形成され、商品払出部内に、商品収容部内から粒状商品を予め設定された量ずつ取り出してその払い出しを行う払出機構が設けられており、この払出機構の互いに１８０度の角度位置に凹所が形成された回転容器が、操作レバーが押し下げられて、操作レバーと一体的に回動される駆動歯車と回転容器に同軸状に取り付けられた歯車との歯合によって、水平なシャフトを中心に回転されて凹所が下向きになる位置に位置されることによって、凹所内からその中の粒状商品が下方に払い出される粒状物払出装置を、その最良の実施形態としている。
【実施例】
【００１３】
図１は、この発明による粒状物払出装置の実施形態における一実施例を示す外観図である。
【００１４】
この図１において、粒状物払出装置１は、略箱形状のケーシング２の上部部分に、粒状の商品、例えば、キャンディやチョコレート，豆菓子等のお菓子や様々な色や形のビー玉等の商品を収容する商品収容部２Ａが設けられており、下部部分に、商品収容部２Ａに収容されている粒状商品ｇを払い出すための払出機構が取り付けられる商品払出部２Ｂが設けられている。
【００１５】
このケーシング２の商品収容部２Ａの前面には、透明な材質によって形成された窓部２Ａａが形成されて、この商品収容部２Ａ内に収容されている粒状商品ｇが外部から視認出来るようになっており、また、商品払出部２Ｂには、後述するような払出機構１０が取り付けられている。
【００１６】
そして、このケーシング２の下方部には、払出機構１０によって商品収容部２Ａから払い出されてくる粒状商品ｇを受けるための図示しない受け皿等が置かれるようになっている。
【００１７】
次に、図２ないし５に基づいて、粒状物払出装置１の払出機構１０について説明を行う。
【００１８】
図２はこの払出機構１０の側面図であり、図３は払出機構１０の平面図であり、図４は図２のIV−IV線における断面図であり、図５は払出機構１０の払出操作部の構成を示す正面図である。
【００１９】
この図２ないし５において、払出機構１０は、商品収容部２Ａ（図１参照）から供給される粒状商品ｇを予め設定された一定量だけ受け取ってその粒状商品ｇを下方側に払い出す回転容器１１と、この回転容器１１の正面側（図２および３において左側）の端部に連結された払出操作部１２とから構成されている。
【００２０】
回転容器１１は、略円筒状の回転本体１１Ａと、この回転本体１１Ａの後部に同軸状にスライド自在に連結されて後述するように回転体１１Ａ内の容量を調節する容量調節用スライダ１１Ｂとによって構成されており、この回転本体１１Ａと容量調節用スライダ１１Ｂの中心にシャフト１１Ｃが挿通されている。
【００２１】
そして、このシャフト１１Ｃがケーシング２の前後方向（図２および３において左右方向）に水平に延びるように配置されて、その両端部をケーシング２内のフレームに２ａ、２ｂによって支持されることによって、回転容器１１が、ケーシング２に対して垂直面内において回転自在に支持されている。
【００２２】
この回転容器１１の回転本体１１Ａは、その前端部分の端壁１１Ａａが略円盤状に形成され、この端壁１１Ａａよりも後方の部分に、図４に示されるように、回転本体１１Ａの軸線と同じ高さ位置に水平向きに形成された底板１１Ａｂと、この底板１１Ａｂの両側縁部から立ち上がって互いに離間する方向に傾斜する側板１１Ａｃとによって三方を囲まれて上方が開口された凹所１１Ｄが形成されている。
【００２３】
そして、回転本体１１Ａの端壁１１Ａａよりも後方側の凹所１１Ｄと底板１１Ａｂを挟んで反対側位置に、この凹所１１Ｄと同様の形状の凹所１１Ｅが形成されている。
【００２４】
この回転本体１１Ａの凹所１１Ｄと１１Ｅの後端部は開放されていて、この凹所１１Ｄ，１１Ｅの後部開放端から容量調節用スライダ１１Ｂが嵌合されて、容量調節用スライダ１１Ｂがシャフト１１Ｃに沿ってスライドされることにより、この容量調節用スライダ１１Ｂの先端部分が、凹所１１Ｄ，１１Ｅ内を進退自在になっている。
【００２５】
この容量調節用スライダ１１Ｂは、その上部部分１１Ｂ１と下部部分１１Ｂ２が、それぞれの外周縁部が回転本体１１Ａの端壁１１Ａａの外径と同じ径を有する円弧形状に成形されているとともに凹所１１Ｄ，１１Ｅの横断面形状と同じ横断面形状を有し、それぞれの先端面１１Ｂ１ａ，１１Ｂ２ａが、内側端縁部（回転本体１１Ａの底板１１Ａｂ側の端縁部）から外側に向かって後方に傾斜する傾斜面になっている。
【００２６】
そして、この上部部分１１Ｂ１と下部部分１１Ｂ２は、その間に、回転本体１１Ａの底板１１Ａｂの厚さと同じ幅の隙間を介して互いに対向された状態で、それぞれの後端部が円盤状のプレート１１Ｂ３に固定されることにより、互いに一体的に連結されている。
【００２７】
この容量調節用スライダ１１Ｂは、上部部分１１Ｂ１と下部部分１１Ｂ２の間の隙間内に回転本体１１Ａの底板１１Ａｂが嵌合されて、それぞれ上部部分１１Ｂ１と下部部分１１Ｂ２が回転本体１１Ａの凹所１１Ｄと１１Ｅ内にそれぞれ挿入されており、容量調節用スライダ１１Ｂのスライドに伴って先端面１１Ｂ１ａ，１１Ｂ２ａが凹所１１Ｄ，１１Ｅ内を前後進することによって、凹所１１Ｄ，１１Ｅ内の容積を増減させるようになっている。
【００２８】
そして、容量調節用スライダ１１Ｂのプレート１１Ｂ３の背面側中心部に、シャフト１１Ｃに外嵌されるフランジ部１１Ｂ３ａが一体的に形成されて、このフランジ部１１Ｂ３ａにその径方向にねじ１１Ｂ３ｂが螺合されていて、このねじ１１Ｂ３ｂの締め付け力によってフランジ部１１Ｂ３ａがシャフト１１Ｃに対して係止されることにより、容量調節用スライダ１１Ｂが回転本体１１Ａに対して任意の軸方向位置に位置決めされるようになっている。
【００２９】
回転容器１１の両側には、図４に示されるように、回転容器１１の外径よりも僅かに大きい内径によって円弧状に湾曲した内壁面２Ｃａを有する一対の側板２Ｃが、内壁面２Ｃａが水平方向に対向するように配置されて、この一対の側板２Ｃの内壁面２Ｃａの間に形成される略円筒形状の空間内において、回転容器１１が回転されるようになっている。
【００３０】
この一対の側板２Ｃの互いに対向する上端縁２Ｃｂは、回転容器１１の凹所１１Ｄ，１１Ｅの開口部の幅（回転容器１１の径方向と平行な方向の長さ）よりも大きい幅の間隔を開けて互いに対向されて、その間に、商品収容部２Ａ内の空間と側板２Ｃ間の空間内を連通する上部開口部２Ｃｃが形成されている。
【００３１】
そして、この一対の側板２Ｃの上端縁２Ｃｂには、ケーシング２の前後方向（回転容器１１の軸方向）に延びるとともに上方にゆくに従って互いに離間するように傾斜して、商品収容部２Ａの略ホッパ状の底面部を形成する斜板２Ａｂが、それぞれこの上端縁２Ｃｂから連続するように設けられている。
【００３２】
さらに、商品収容部２Ａの一対の斜板２Ａｂの間の上部開口部２Ｃｃに対向する部分に、ケーシング２の前後方向（回転容器１１の軸方向）に延びるプレート２Ｄが図示しないフレームによって両端部を支持された状態で取り付けられており、このプレート２Ｄの両側の側縁部と斜板２Ａｂとの間に、粒状商品ｇの径よりも所要の寸法だけ大きい幅の隙間２Ａｃが形成されている。
【００３３】
一対の側板２Ｃの互いに対向する下端縁２Ｃｄは、上端縁２Ｃｂ間の上部開口部２Ｃｃと同じ幅の間隔を開けて互いに対向されて、その間に、側板２Ｃ間の空間内を下方の払出部の空間内に連通する下部開口部２Ｃｅが形成されている。
【００３４】
この側板２Ｃ間の下部開口部２Ｃｅの下方には、図２に示されるように、下部に粒状商品ｇの払出口２Ｅａが形成されているホッパ２Ｅが、その上部の開口部２Ｅｂが下部開口部２Ｃｅの全面に亘って対向された状態で商品払出部２Ｂ内の図示しないフレームに取り付けられて支持されている。
【００３５】
払出操作部１２は、以下のような構成を有している。
【００３６】
すなわち、回転本体１１Ａの端壁１１Ａａとほぼ同じ外径を有する第１歯車１２Ａが、端壁１１Ａａの前端面（図２および３において左側端面）に一体回転するように同軸状に固定されている。
【００３７】
さらに、この第１歯車１２Ａには、その前面側に、円盤状の支持プレート１２Ｂが同軸状に固定され、この支持プレート１２Ｂの外周面に、支持プレート１２Ｂの径の両端位置（互いに１８０°をなす角度位置）に位置されて径方向外方に突出する一対の突起部１２Ｂａ，１２Ｂｂが、一体的に形成されている。
【００３８】
この支持プレート１２Ｂには、その前方側に、第１歯車１２Ａの外径よりも小さい（図示の例では約３分の１）の径を有する第２歯車１２Ｃが、ワンウェイクラッチ１２Ｄを介して同軸状に取り付けられており、第２歯車１２Ｃが図５において反時計方向に回転される際には、ワンウェイクラッチ１２Ｄによって第１歯車１２Ａと第２歯車１２Ｃが係合されて第１歯車１２Ａが第２歯車１２Ｃと一体回転され、第２歯車１２Ｂが時計方向に回転される際には、ワンウェイクラッチ１２Ｄが第２歯車１２Ｃの第１歯車１２Ａに対する相対回転を許容するようになっている。
【００３９】
第１歯車１２Ａには、その上方に位置するケーシング２内のフレーム２ｃに第１歯車１２Ａと平行な平面内において回動自在に支持されたラチェット１２Ｅが歯合されていて、このラチェット１２Ｅが、第１歯車１２Ａの図５において反時計方向の回転は許容するが時計方向の回転は阻止するようになっている。
【００４０】
第２歯車１２Ｃの側方位置（図示の例では、図５において左側位置）においてケーシング２内のフレーム２ｄに、扇形の駆動歯車１２Ｆが、その基端部を第２歯車１２Ｃと同一の垂直面内において揺動自在に軸支されており、この駆動歯車１２Ｆが第２歯車１２Ｃに歯合されている。
【００４１】
さらに、駆動歯車１２Ｆの前方側には、操作レバー１２Ｇが、ケーシング２内のフレーム２ｄに対して、その基端部を駆動歯車１２Ｆと同軸状に揺動自在に軸支されており、この操作レバー１２Ｇの基端部と駆動歯車１２Ｆの基端部とは、互いに一体回転するように連結されている。
【００４２】
そして、操作レバー１２Ｇの基端部と駆動歯車１２Ｆの基端部の間には、つる巻ばね１２Ｈが同軸状に介装されていて、このつる巻ばね１２Ｈの一端部がケーシング２側に係合され他端部が駆動歯車１２Ｆに係止されることによって、駆動歯車１２Ｆおよび操作レバー１２Ｇが、その先端側が上昇される方向に付勢されている。
【００４３】
操作レバー１２Ｇの先端部は、図１に示されるように、ケーシング２の商品払出部２Ｂの前部に側方向に向かって縦向きに形成された円弧状のスリット２Ｂａから外方に突出されていて、待機時には、つる巻ばね１２Ｈの付勢力によって、上向きに傾斜した状態（図５参照）でスリット２Ｂａの上端位置に位置されている。
【００４４】
そして、この操作レバー１２Ｇの先端部がスリット２Ｂａの上端位置に位置されているとき、駆動歯車１２Ｆの下部部分が、第２歯車１２Ｃと歯合している（図５参照）。
【００４５】
駆動歯車１２Ｆの下方位置において支持プレート１２Ｂの外周面に対向する位置に、ストッパ１２Ｉが、ケーシング２内のフレーム２ｅに支持プレート１２Ｂと同じ垂直面内において揺動自在に軸支されている。
【００４６】
このストッパ１２Ｉには、支持プレート１２Ｂの外周面に向かって上方向に延びる係止用アーム１２Ｉａと、この係止用アーム１２Ｉａの下方において支持プレート１２Ｂの外周面に向かって係止用アーム１２Ｉａに対して開く方向に延びる回動付勢用アーム１２Ｉｂとが、一体的に形成されている。
【００４７】
そして、ストッパ１２Ｉには、その一部に、角部１２Ｉｃが形成されており、この角部１２Ｉｃに、スプリング１２Ｊによって付勢されたノッチ１２Ｋが押接されていて、後述するように、ストッパ１２Ｉが図５において時計回り方向に回動されている際に、ノッチ１２Ｋがストッパ１２Ｉの角部１２Ｉｃの下側位置に押接され、ストッパ１２Ｉが反時計回り方向に回動されている際に、ノッチ１２Ｋがストッパ１２Ｉの角部１２Ｉｃを乗り越えてその上側位置に押接されるようになっている。
【００４８】
さらに、ストッパ１２Ｉには、レバー１２Ｌが、一体的に揺動するように同軸状に連結されており、このレバー１２Ｌの先端部に、電磁ソレノイド１２Ｍの可動ロッド１２Ｍａの先端部が連結されている。
【００４９】
この電磁ソレノイド１２Ｍには、ケーシング２の商品払出部２Ｂの任意の箇所に設けられた図示しないコイン投入機に取り付けられているコイン投入検出機１２Ｎが接続されていて、このコイン投入検出機１２Ｎから電磁ソレノイド１２Ｍに通電が行われて、可動ロッド１２Ｍａをソレノイド本体内に引き込む方向に電磁ソレノイド１２Ｍが作動されるようになっている。
【００５０】
以下、上記粒状物払出装置１の作動について、図６ないし８の参照を加えながら、説明を行う。
【００５１】
この粒状物払出装置１は、店頭で粒状商品ｇの販売を始める前に、予め、回転容器１１の容量調節用スライダ１１Ｂがシャフト１１Ｃに沿ってスライドされて、この容量調節用スライダ１１Ｂの先端面１１Ｂ１ａ，１１Ｂ２ａが回転本体１１Ａの端壁１１Ａａに対して接離されて、凹所１１Ｄ，１１Ｅの容積が調整される。
【００５２】
これによって、例えば粒状物払出装置１の図示しないコイン投入口に投入される一定の設定金額の対して、商品収容部２Ａ内に充填される粒状商品ｇの原価に応じて、凹所１１Ｄ，１１Ｅの容積が設定され、この後、容量調節用スライダ１１Ｂのフランジ部１１Ｂ３ａがねじ１１Ｂ３ｂによってシャフト１１Ｃにスライド不能に係止されることにより、容量調節用スライダ１１Ｂが回転本体１１Ａに対して位置決めされて固定される。
【００５３】
例えば、凹所１１Ｄ，１１Ｅの容積は、商品収容部２Ａ内に充填される粒状商品ｇが、原価の安いあめ玉等の場合は大きくなるように調整され、原価が高いチョコレートボール等の場合は、小さくなるように調整される。
【００５４】
この回転容器１１の凹所１１Ｄ，１１Ｅの容積の調整後、商品収容部２Ａ内に粒状商品ｇが充填されて、この粒状商品ｇの販売が開始される。
【００５５】
このとき、払出機構１０は、商品払出部２Ｂの前面側に露出されている払出操作部１２の操作レバー１２Ｇがつる巻ばね１２Ｈによって付勢されて、その先端部がスリット２Ｂａの上端位置に位置されていて、駆動歯車１２Ｆの下部部分と第２歯車１２Ｃとが歯合している図５に示されるような待機状態になっている。
【００５６】
そして、この待機状態において、回転容器１１は、その凹所１１Ｄ（凹所１１Ｅでも良い）が、商品収容部２Ａ内に連通された上部開口部２Ｃｃに対向されている。
【００５７】
これによって、商品収容部２Ａ内に充填されている粒状商品ｇが、斜板２Ａｂとプレート２Ｄの両側の側縁部との間のそれぞれの隙間２Ａｃを通って上部開口部２Ｃｃから回転本体１１Ａの凹所１１Ｄ（または凹所１１Ｅ）内に流れ込んで、凹所１１Ｄ（または凹所１１Ｅ）内に充填される（図４参照）。
【００５８】
このとき、商品収容部２Ａから回転本体１１Ａへの粒状商品ｇの流れがプレート２Ｄによって抑制されるために、粒状商品ｇが上部開口部２Ｃｃの部分で詰まったりするのが防止される。
【００５９】
また、この待機状態においては、図５に示されるように、払出操作部１２の電磁ソレノイド１２Ｍは、その可動ロッド１２Ｍａがソレノイド本体内から引き出されていて、ストッパ１２Ｉの係止用アーム１２Ｉａが支持プレート１２Ｂの突起部１２Ｂａ（または突起部１２Ｂｂ）の下端側に係合されていることによって、支持プレート１２Ｂ（すなわち回転容器１１）が図５において反時計回りに回動するのを阻止している。
【００６０】
この状態で、商品払出部２Ｂに設けられたコイン投入機にコインが投入されて、コイン投入検出機１２Ｎによって設定金額の投入があったことが検出されると、このコイン投入検出機１２Ｎから電磁ソレノイド１２Ｍに通電が行われて、可動ロッド１２Ｍａがソレノイド本体内に引き込まれる。
【００６１】
図６に示されるように、これによって、図５の状態からレバー１２Ｌが反時計回り方向に回動され、ストッパ１２Ｉがレバー１２Ｌと一体的に反時計回り方向に回動されて、支持プレート１２Ｂの一方の突起部１２Ｂａの下端側に係合していた係止用アーム１２Ｉａの突起部１２Ｂａとの係合が解除される。
【００６２】
このとき、ストッパ１２Ｉの角部１２Ｉｃの下側に押接されていたノッチ１２Ｋが、ストッパ１２Ｉの反時計回り方向への回動にともなって角部１２Ｉｃを乗り越えて、この角部１２Ｉｃの上側に押接されることにより、コイン投入検出機１２Ｎから電磁ソレノイド１２Ｍへの通電が一定時間経過後に止まっても、ストッパ１２Ｉは、その係止用アーム１２Ｉａが支持プレート１２Ｂの突起部１２Ｂａから離間されている状態を保持する。
【００６３】
このようにして、ストッパ１２Ｉによる支持プレート１２Ｂの係止状態が解除された状態で、図７に示されるように、操作レバー１２Ｇの先端部が粒状商品ｇの購買者（客）によって押し下げられてゆくと、駆動歯車１２Ｆが操作レバー１２Ｇと一体的に図において時計回り方向に回動されてゆき、これによって、この駆動歯車１２Ｆに歯合している第２歯車１２Ｃが反時計回り方向に回動され、さらに、支持プレート１２Ｂおよび第１歯車１２Ａがワンウェイクラッチ１２Ｄを介して第２歯車１２Ｃと一体的に反時計回り方向に回動される。
【００６４】
そして、支持プレート１２Ｂの反時計回り方向への回動によって、それまでストッパ１２Ｉの係止用アーム１２Ｉａに係合していた突起部１２Ｂａが支持プレート１２Ｂの円周方向に移動してゆくと、ストッパ１２Ｉの回動付勢用アーム１２Ｉｂが、突起部１２Ｂａに接触し、さらに、突起部１２Ｂａの移動に伴ってこの突起部１２Ｂａを乗り越えてゆく。
【００６５】
このとき、回動付勢用アーム１２Ｉｂが突起部１２Ｂａによってその移動方向に付勢されることにより、ストッパ１２Ｉが時計回り方向に回動されて、係止用アーム１２Ｉａの先端部が支持プレート１２Ｂの外周面に近接する元の待機位置に復帰される。
【００６６】
このようにして、図８に示されるように、操作レバー１２Ｇがその最下位位置（スリット２Ｂａの下端位置）まで押し下げられると、最初にストッパ１２Ｉの係止用アーム１２Ｉａと係合していた突起部１２Ｂａと１８０度の角度位置に位置されていた突起部１２Ｂｂが、支持プレート１２Ｂの回動にともなってストッパ１２Ｉの取付位置に移動されてきて、その下端部が、待機位置に位置されている係止用アーム１２Ｉａの先端部と係合して、それ以上の回動を阻止される。
【００６７】
このようにして、一回の操作レバー１２Ｇの押し下げ動作によって、回転容器１１が半回転（１８０度の回転）される。
【００６８】
この後、購買者が操作レバー１２Ｇから手を離すと、操作レバー１２Ｇが、つる巻ばね１２Ｈによってその先端部が持ち上げられる方向に付勢されて図８において反時計回り方向に回動されることにより、元の待機位置（図５の状態）に復帰する。
【００６９】
このとき、ストッパ１２Ｉと一体的に回動される駆動歯車１２Ｆに歯合されている第２歯車１２Ｃは、ワンウェイクラッチ１２Ｄの作動によって支持プレート１２Ｂおよび第１歯車１２Ａに対してフリー回転を行う。
【００７０】
そして、第１歯車１２Ａは、ラチェット１２Ｅによって図８において時計回り方向への回転が阻止されるように係止されていることによって、操作レバー１２Ｇの待機位置への復帰に伴って、回転容器１１が図８の状態から回動されることはない。
【００７１】
以上のようにして、払出操作部１２は、図８の状態から図５の初期状態に復帰して、次の払出操作に対して待機する。
【００７２】
以上のような払出操作部１２における払出操作によって、回転容器１１が半回転されると、前述したように、回転容器１１の上側に位置して予め商品収容部２Ａ内の粒状商品ｇが充填されていた回転容器１１の凹所１１Ｄが、半回転して、回転容器１１の下側に位置され、その開口部がホッパ２Ｅ（図３参照）に対向するように位置される。
【００７３】
なお、この粒状商品ｇが充填されている凹所１１Ｄが回転容器１１の上側から下側に回動される途中においては、凹所１１Ｄの開口部が側板２Ｃによって塞がれることによって、凹所１１Ｄ内の粒状商品ｇが凹所１１Ｄからこぼれ落ちる虞はない。
【００７４】
このようにして、粒状商品ｇが充填された凹所１１Ｄが下側向きに位置されると、凹所１１Ｄ内から粒状商品ｇが側板２Ｃ間の下部開口部２Ｃｅを通ってホッパ２Ｅ内に落下され、さらに、このホッパ２Ｅから、このホッパ２Ｅの下方に配置される図示しない容器や袋内に払い出されて、購買者が粒状物払出装置１から取り出すことが出来るようになる。
【００７５】
そして、上記のようにして、回転容器１１が半回転されて、それまで回転容器１１の下側に位置されていた凹所１１Ｅが上側に移動されて、側板２Ｃ間の上部開口部２Ｃｃに対向される位置に位置されると、前述した凹所１１Ｄの場合と同様に、商品収容部２Ａ内から上部開口部２Ｃｃを通って凹所１１Ｅ内に粒状商品ｇが流れ込むことによって、凹所１１Ｅ内に粒状商品ｇが充填されて、次の購買者による払出操作が行われるまで待機する。
【産業上の利用可能性】
【００７６】
この発明は、粒状のお菓子を払い出すお菓子の販売装置のほか、ビー玉等のお菓子以外の粒状商品の払い出しを行う装置にも利用が可能である。
【図面の簡単な説明】
【００７７】
【図１】この発明の実施形態における一実施例を示す斜視図である。
【図２】同例の払出機構を示す側面図である。
【図３】同払出機構の平面図である。
【図４】図２のIV−IV線における断面図である。
【図５】同払出機構の払出操作部をその待機状態で示す正面図である。
【図６】同払出操作部の作動の初期状態を示す作動説明図である。
【図７】同払出操作部の作動途中の状態を示す作動説明図である。
【図８】同払出操作部の作動終了時の状態を示す作動説明図である。
【符号の説明】
【００７８】
１                  …粒状物払出装置
２                  …ケーシング
２Ａ                …商品収容部（粒状物収容ケーシング）
２Ａｂ              …斜板（ホッパ部材）
２Ｂ                …商品払出部
２Ｄ                …プレート（流出抑制部材）
１０                …払出機構
１１                …回転容器（回転容器部材）
１１Ａ              …回転本体
１１Ｂ              …容量調節用スライダ（容積調節部材）
１１Ｂ３ａ          …フランジ部（固定部材）
１１Ｂ３ｂ          …ねじ（固定部材）
１１Ｃ              …シャフト（水平軸）
１１Ｄ，１１Ｅ      …凹所（粒状物収容用凹所）
１２                …払出操作部
１２Ａ              …第１歯車（係止部材，第３ギア部材）
１２Ｂ              …支持プレート
１２Ｂａ，１２Ｂｂ  …突起部（回転容器部材の一部）
１２Ｃ              …第２歯車（ギア機構，第２ギア部材）
１２Ｄ              …ワンウェイクラッチ（ワンウェイクラッチ部材）
１２Ｅ              …ラチェット（係止部材，ラチェット部材）
１２Ｆ              …駆動歯車（ギア機構，第１ギア部材）
１２Ｇ              …操作レバー（回転操作部材，レバー部材）
１２Ｈ              …つる巻ばね（付勢部材）
１２Ｉ              …ストッパ（位置決め部材，ストッパ部材）
１２Ｉａ            …係止用アーム（位置決め部材）
１２Ｉｂ            …回動付勢用アーム（回動付勢部材）
１２Ｍ              …電磁ソレノイド（位置決め部材，ソレノイド部材）
１２Ｎ              …コイン投入検出機
ｇ                  …粒状商品（粒状物）
【図１】
2005173988.tif 000003
【図２】
2005173988.tif 000004
【図３】
2005173988.tif 000005
【図４】
2005173988.tif 000006
【図５】
2005173988.tif 000007
【図６】
2005173988.tif 000008
【図７】
2005173988.tif 000009
【図８】
2005173988.tif 000010